【事件の表示】
　特許第６１７１２３８号発明「炭素コーティングリチウムリン酸鉄ナノ粉末の製造方法」の特許異議申立事件について、次のとおり決定する。
【結　論】
　特許第６１７１２３８号の特許請求の範囲を訂正請求書に添付された訂正特許請求の範囲のとおり、訂正後の請求項[１０−１６]について訂正することをを認める。
　本件特許異議の申立てを却下する。
【理　由】
第１　手続の経緯
　特許第６１７１２３８号の請求項１ないし１６に係る特許についての出願は、平成２６年１月９日（パリ条約による優先権主張　２０１３年７月９日　韓国（ＫＲ）、２０１４年１月８日　韓国（ＫＲ））を国際出願日とする出願であり、本件特許異議申立に関する経緯は次のとおりである。
平成２９年　７月１４日付け　特許権の設定登録
　　　　　　　　　　　　　（特許公報発行　平成２９年８月２日）
平成３０年　２月　１日付け　請求項１０ないし１６に係る特許について
　　　　　　　　　　　　　　特許異議申立人　増山美紀より特許異議申立
　　　　　　　　　　　　　　・申立理由１
　　　　　　　　　　　　　　（特許法第３６条第６項第１号）
　　　　　　　　　　　　　　・申立理由２
　　　　　　　　　　　　　　（特許法第３６条第４項第１号）
　　　　　　　　　　　　　　・申立理由３
　　　　　　　　　　　　　　（特許法第２９条第１項第３号）
平成３０年　３月２３日付け　取消理由通知
　　　　　　　　　　　　　　・申立理由１ないし３に加えて特許法第２９
　　　　　　　　　　　　　　　条第２項に係る取消理由を通知
平成３０年　６月２７日付け　訂正請求書及び意見書の提出
第２　訂正請求について
１．訂正事項
　訂正前の特許請求の範囲の請求項１０ないし１６を訂正後に削除する。
２．訂正要件の判断
　訂正事項は、単に請求項を削除するものである。
　したがって、特許請求の範囲の減縮を目的とするから、特許法第１２０条の５第２項ただし書第１号の規定に適合するものである。
　また、新たな技術的事項を導入するものではないから、願書に添付した明細書、特許請求の範囲又は図面に記載した事項の範囲内の訂正であって、特許法第１２０条の５第９項で準用する第１２６条第５項の規定に適合するものである。
　さらに、実質上特許請求の範囲を拡張し、又は変更するものには該当しないことは明らかだから、特許法第１２０条の５第９項で準用する特許法第１２６条第６項の規定に適合するものである。
３．一群の請求項についての説明
　訂正前の請求項１０ないし１６は、請求項１１ないし１６がそれぞれ直接又は間接的に請求項１０を引用しているものであって、訂正事項によって記載が訂正される請求項１０に連動して訂正されるものであるから、特許法１２０条の５第４項に規定する一群の請求項である。
　したがって、本件訂正は、この一群の請求項について請求したものと認められる。
４．訂正請求についての結言
　以上のとおりであるから、本件訂正請求による訂正は、特許法第１２０条の５第２項ただし書第１号に掲げる事項を目的とし、かつ、特許法第１２０条の５第４項及び第９項において準用する同法第１２６条第５項及び第６項の規定に適合する。
　よって、訂正後の請求項［１０−１６］について訂正を認める。
第３　特許異議の申立てについて
　上記「第１　手続の経緯」に記したように、本件特許異議申立は、請求項１０ないし１６に係る特許に対しするものであるが、上記「第２　訂正請求について」に記したように請求項１０ないし１６に係る特許は訂正により削除された。
　したがって、本件特許異議申立は、対象となる請求項が存在しないものとなった。
第４　むすび
　以上のとおりであるから、特許異議申立人　増山美紀よりの特許異議申立は、不適法な特許異議の申立てであって、その補正をすることができないものであるから、特許法第１２０条の８第１項で準用する特許法第１３５条の規定によって却下すべきものである。
　よって、結論のとおり決定する。
【異議決定日】
平成３０年７月３日（２０１８．７．３）
【訂正の要旨】
審決（決定）の【理由】欄参照。
（５７）【特許請求の範囲】
　【請求項１】
　（ａ）グリコール系溶媒にリチウム前駆体、鉄前駆体及びリン前駆体を入れて混合溶液を製造する段階；
　（ｂ）前記混合溶液を反応器内に投入し、前記グリコール系溶媒の沸点以上の温度で加熱濃縮させてメタルグリコレートスラリーを製造する段階；
　（ｃ）前記メタルグリコレートスラリーを乾燥して固形粉を形成する段階；及び
　（ｄ）前記固形粉を焼成して炭素がコーティングされたリチウムリン酸鉄ナノ粉末を製造する段階；
を含む炭素コーティングリチウムリン酸鉄ナノ粉末の製造方法。
　【請求項２】
　前記（ｂ）段階の加熱濃縮は、１０ｂａｒ以下の圧力条件下で進められる請求項１に記載の炭素コーティングリチウムリン酸鉄ナノ粉末の製造方法。
　【請求項３】
　前記（ｃ）段階の乾燥は、対流オーブン内で１００〜１８０℃の温度範囲内で進められる請求項１または請求項２に記載の炭素コーティングリチウムリン酸鉄ナノ粉末の製造方法。
　【請求項４】
　前記（ｄ）段階の焼成は、４００〜９００℃の温度範囲内で２〜１０時間の間進められる請求項１から請求項３の何れか一項に記載の炭素コーティングリチウムリン酸鉄ナノ粉末の製造方法。
　【請求項５】
　前記（ｄ）段階は、無酸素雰囲気または不活性雰囲気下で進められる請求項１から請求項４の何れか一項に記載の炭素コーティングリチウムリン酸鉄ナノ粉末の製造方法。
　【請求項６】
　前記グリコール系溶媒は、エチレングリコール、ジエチレングリコール及び１，４−ブタンジオールからなる群より選択されるものである請求項１から請求項５の何れか一項に記載の炭素コーティングリチウムリン酸鉄ナノ粉末の製造方法。
　【請求項７】
　前記リチウム前駆体は、リチウムアセテートジハイドレート（ＣＨ３ＣＯＯＬｉ・２Ｈ２Ｏ）、リチウムヒドロキシドモノハイドレート（ＬｉＯＨ・Ｈ２Ｏ）、リチウムヒドロキシド（ＬｉＯＨ）、リチウムカーボネート（Ｌｉ２ＣＯ３）、リチウムホスフェート（Ｌｉ３ＰＯ４）、リチウムホスフェートドデカハイドレート（Ｌｉ３ＰＯ４・１２Ｈ２Ｏ）及びリチウムオキサレート（Ｌｉ２Ｃ２Ｏ４）からなる群より選択される１または２以上の混合物である請求項１から請求項６の何れか一項に記載の炭素コーティングリチウムリン酸鉄ナノ粉末の製造方法。
　【請求項８】
　前記鉄前駆体は、クエン酸第二鉄（ＦｅＣ６Ｈ５Ｏ７）、クエン酸第二鉄水和物（ＦｅＣ６Ｈ５Ｏ７・ｎＨ２Ｏ）、硫酸第一鉄七水和物（ＦｅＳＯ４・７Ｈ２Ｏ）、シュウ酸鉄二水和物（ＦｅＣ２Ｏ４・２Ｈ２Ｏ）、鉄アセチルアセトネート（Ｆｅ（Ｃ５Ｈ７Ｏ２）３）、リン酸第二鉄二水和物（ＦｅＰＯ４・２Ｈ２Ｏ）及び水酸化第二鉄（ＦｅＯ（ＯＨ））からなる群より選択される１または２以上の混合物である請求項１から請求項７の何れか一項に記載の炭素コーティングリチウムリン酸鉄ナノ粉末の製造方法。
　【請求項９】
　前記リン前駆体は、トリ−アンモニウムホスフェートトリハイドレート（（ＮＨ４）３ＰＯ４・３Ｈ２Ｏ）、アンモニウムホスフェート（（ＮＨ４）２ＨＰＯ４）、アンモニウムジハイドロジェンホスフェート（ＮＨ４Ｈ２ＰＯ４）及びリン酸（Ｈ３ＰＯ４）からなる群より選択される１または２以上の混合物である請求項１から請求項８の何れか一項に記載の炭素コーティングリチウムリン酸鉄ナノ粉末の製造方法。
　【請求項１０】
（削除）
　【請求項１１】
（削除）
　【請求項１２】
（削除）
　【請求項１３】
（削除）
　【請求項１４】
（削除）
　【請求項１５】
（削除）
　【請求項１６】
（削除）